(57)【要約】【課題】照明器具の本体が室内の電源に接続されないときに、ロスを低減し、大幅に照明時間を延長するロスの少ない充電照明器具を提供する。【解決手段】マトリクス配列の発光ダイオードモジュール２０を有する本体１と、充電モジュールと、一端が照明器具の本体１から延伸され、室内の電源に接続され、別端が充電モジュール及びマトリクス配列の発光ダイオードモジュール２０に接続され、照明器具に必要な電源を伝送し、充電モジュールに充電し、又はマトリクス配列の発光ダイオードモジュール２０の外へ投射されるハイブライトソースを提供する電源ワイヤ３２とからなる。【選択図】図３
2009048862.tif 000002
【特許請求の範囲】
【請求項１】
本体と、
本体に設けるマトリクス配列の発光ダイオードモジュールと、
一端が照明器具の本体から延伸して室内の電源に接続され、別端が充電モジュール及びマトリクス配列の発光ダイオードモジュールに接続され、外へ投射されるハイブライトソースを提供する電源ワイヤと、
からなることを特徴とする充電照明器具。
【請求項２】
前記本体は、
片側に、自由に回転可能なカバーを枢設し、マトリクス配列の発光ダイオードモジュールを収容する第一カバーと、
第一カバーと相互にかぶせて、内部に収容空間を設ける第二カバーと、
からなることを特徴とする請求項１に記載の充電照明器具。
【請求項３】
前記第一カバーは、
ブロックと、
ブロックの片側に設け、一面に少なくとも一つの弧形曲面及び弧形曲面の上に配置する一つの凹入部を設置し、両端が共通にカバーに枢設する曲面部と、
からなることを特徴とする請求項２に記載の充電照明器具。
【請求項４】
前記第二カバーは、
第二カバーの上面に設ける凹溝と、
一端がそれぞれ第二カバーに接続する二本の支持柱と、
凹溝に活動自在に設けて、二本の支持柱の別端に接続するハンドルと、
からなることを特徴とする請求項２に記載の充電照明器具。
【請求項５】
前記収容空間には、
それぞれ充電モジュール及びマトリクス配列の発光ダイオードモジュールに接続される回路基板と、
回路基板に配置され、電源ワイヤの別端に接続され、電源電圧のレベルを変更する電圧安定回路と、
充電電池及び電圧安定回路に接続する充電回路及び充電電池を有し、電圧安定回路からの電源を充電電池にチャージする充電モジュールと、
それぞれマトリクス配列の発光ダイオードモジュール、充電電池、及び電圧安定回路に接続され、マトリクス配列の発光ダイオードモジュールと充電電池とが通電するかどうか、マトリクス配列の発光ダイオードモジュールと電圧安定回路とが通電するかどうかを制御する制御回路と、
を収容することを特徴とする請求項２に記載の充電照明器具。
【請求項６】
前記マトリクス配列の発光ダイオードモジュールは、
外殻と、
外殻の底面に設け、多数のチップを配置する基板と、
外殻の上面に設け、蛍光物質を材質として採用する透射板と、
からなることを特徴とする請求項５に記載の充電照明器具。
【請求項７】
第一接続部及び一端が室内電源に接続し、別端が第一接続部に接続する電源ワイヤを設ける充電台座と、
可動自在に充電台座に設けられ、充電台座からの充電電源を受ける本体と、
本体に設けて、充電台座からの作業電源を受け、外へ光を投射し、外殻及び外殻の底面に配置され、多数のチップ及び蛍光物質の材質から作られ、外殻の上面に取り付ける透射板を設置する基板で形成されるマトリクス配列の発光ダイオードモジュールと、
からなることを特徴とする充電照明器具。
【請求項８】
前記本体は、
接続柱と、
接続柱の一端に接続され、マトリクス配列の発光ダイオードモジュールを収容するランプカバーと、
接続柱の別端に接続され、内部に回路基板を設けるベースと、
からなり、前記回路基板は、
電源を回路基板に伝送する第二接続部と、
回路基板に配置され、電源ワイヤの別端に接続され、電源電圧のレベルを変更する電圧安定回路と、
充電電池及び電圧安定回路に接続する充電回路及び充電電池を有し、電圧安定回路からきた電源を充電電池にチャージする充電モジュールと、
それぞれマトリクス配列の発光ダイオードモジュール、充電電池、及び電圧安定回路に接続され、マトリクス配列の発光ダイオードモジュールと充電電池とが通電するかどうか、マトリクス配列の発光ダイオードモジュールと電圧安定回路とが通電するかどうかを制御する制御回路と、
を有することを特徴とする請求項７に記載の充電照明器具。
【請求項９】
前記本体は、
片側に、ノッチがあって、マトリクス配列の発光ダイオードモジュールを設ける桶状の殻体と、
ノッチを密封するカバーと、
からなることを特徴とする請求項７に記載の充電照明器具。
【請求項１０】
前記桶状の殻体に、回路基板があり、前記回路基板は、
回路基板に設けられ、局部が桶状の殻体の外へ露出し、電源を回路基板へ伝送する第二接続部と、
回路基板に配置され、電源ワイヤの別端に接続され、電源電圧のレベルを変更する電圧安定回路と、
充電電池及び電圧安定回路に接続する充電回路及び充電電池を有し、電圧安定回路からきた電源を充電電池にチャージする充電モジュールと、
それぞれマトリクス配列の発光ダイオードモジュール、充電電池、及び電圧安定回路に接続され、マトリクス配列の発光ダイオードモジュールと充電電池とが通電するかどうか、マトリクス配列の発光ダイオードモジュールと電圧安定回路とが通電するかを制御する制御回路と、
を有することを特徴とする請求項９に記載の充電照明器具。
7
【発明の詳細な説明】
【技術分野】
【０００１】
本発明は、照明器具に係り、特に、マトリクス配列の発光ダイオードモジュールを設けるロスの少ない充電照明器具とし、充電を経由してマトリクス配列の発光ダイオードモジュールの必要な電源を供給し、照明器具の本体が室内の電源に接続されないときに、ロスを低減し、大幅に照明の時間を延長するものに関する。
【背景技術】
【０００２】
図１に示すように、従来の緊急照明器具としてボックス８０がある。ボックス８０には、少なくとも、一つの発光体８１を配置する。当該発光体８１は、普通のランプ又は蛍光ランプを用いる。ボックス８０の中に、電池モジュール８２、制御回路８３、ソケット＆プラグ８４を配置する。制御回路８３はそれぞれ発光体８１、電池モジュール８２、ソケット＆プラグ８４に接続する。ソケットプラグ８４を市電の電源に挿入、接続する場合に、制御回路８３は市電の電源を電池モジュール８２へ伝送し、電池モジュール８２に充電してある。それに対して、ソケットプラグ８４が市電の電源に挿入、接続しない場合に、制御回路８３が電源の存在を感知しないので、緊急照明器具において、各発光体８１が電池モジュール８２から、電池モジュール８２の電源を使い尽くすまで、発光に必要な電源を取る。
【発明の開示】
【発明が解決しようとする課題】
【０００３】
各発光体８１の発光効率には限りがある。任意に、各発光体８１の発光ブライトを強化すれば、緊急照明器具には必ずロスが生じる。通常、緊急照明器具は一時間ほどで、電池モジュール８２の電源を使い尽くす。緊急照明器具が一時間以上の停電に遇う場合に、緊急照明器具は効用を失い、周囲に照明機能を提供できない。ゆえに、省エネルギー、発光効能の満足を兼備するために、いかに、前掲の欠点、困難を解決する照明製品を設計するかということは各メーカの直面する大切な課題となる。
【課題を解決するための手段】
【０００４】
請求項１に記載の発明によると、マトリクス配列の発光ダイオードモジュールを有する本体と、充電モジュールと、一端が照明器具の本体から延伸され、室内の電源に接続され、別端が充電モジュール及びマトリクス配列の発光ダイオードモジュールに接続され、照明器具に必要な電源を伝送し、充電モジュールに充電し、又はマトリクス配列の発光ダイオードモジュールの外へ投射されるハイブライトソースを提供する電源ワイヤとからなる。マトリクス配列の発光ダイオードモジュールの低ロス特性を経由して、照明器具の本体が室内の電源に接続されないときに、ロスを低減し、大幅に照明の時間を延長する。
【０００５】
一端が室内電源に接続される電源ワイヤを設ける充電台座と、マトリクス配列の発光ダイオードモジュール及び充電台座から来た充電電源を受ける充電モジュールを有し、活動自在に、充電台座に配置される本体とからなる。当該マトリクス配列の発光ダイオードは外殻と、外殻の底面に設置し、ブルーライトが出てくる多数のチップを設ける基板と、外殻の上面に設置され、蛍光材質で作られる透射板とから組成される。それらチップがブルーライトを発光し、透射板の蛍光物質を励起するので、マトリクス配列の発光ダイオードは極めて明るい光を出す。その結果、マトリクス配列の発光ダイオードモジュールの低ロス特性を経由して、照明器具の本体が室内の電源に接続されないときに、大幅に照明のブライト及び照射範囲を向上する。
【発明を実施するための最良の形態】
【０００６】
以下、本発明の具体的な実施例を図面に基づいて詳しく説明する。
（第１実施例）
まずは図２及び図３を参照する。それは本発明の第１実施例によるロスの少ない充電照明器具である。その照明器具は緊急照明の機能に応用され、本体１を有する。本体１は第一カバー１１及び第二カバー２１で、相互にかぶせて形成される。第一カバー１１はブロック１１０及び曲面部１１２からなる。曲面部１１２はブロック１１０の片側に設ける。その一面に、少なくとも、一つの弧形曲面１１４及び凹入部１１６がある。凹入部１１６は弧形曲面１１４の上に配置される。その両端は、共同に、カバー１１８に枢設される。カバー１１８の中に、マトリクス配列の発光ダイオードモジュール２０がある。カバー１１８は凹入部１１６は、自由に回転でき、光の投射角度を調整できる。第二カバー２１の上面に、凹溝２１０がある。凹溝２１０には、活動自在に、ハンドル２１２を設置する。ハンドル２１２は凹溝２１０に、二本の支持ポスト２１４を経由して、第二カバー２１に接続される。ユーザは照明器具を移動しているうちに、ハンドル２１２を凹溝２１０から伸ばせ、支持柱２１４で照明器具を支持する。
【０００７】
第１実施例において、図３及び図４に示すように、第一カバー１１及び第二カバー２１を相互にかぶせたあとで、収容空間が形成される（図示せず）。収容空間の中に、回路基板３１を放置する。回路基板３１には、充電モジュール３２０、制御回路３１１、電圧安定回路３１３、及び電源ワイヤ３２を備える。充電モジュール３２０は充電回路３２１及び充電電池３２３を有する。充電回路３２１はそれぞれ、充電電池３２３及び電圧安定回路３１３に接続される。本体１の外に、制御スイッチ３４がある。制御スイッチ３４で、ユーザは制御回路３１１を制御する。制御回路３１１はそれぞれ、マトリクス配列の発光ダイオードモジュール２０、充電電池３２３及び電圧安定回路３１３に接続され、マトリクス配列の発光ダイオードモジュール２０と充電電池３２３とが通電するかどうか、マトリクス配列の発光ダイオードモジュール２０と電圧安定回路３１３とが通電するかどうかを制御する。電源ワイヤ３２は一端が本体１から延伸され、室内電源に接続され、別端が電圧安定回路３１３に接続され、照明器具の必要な電源を伝送し、充電モジュール３２０に充電し、又はマトリクス配列の発光ダイオードモジュール２０の外へ投射されるハイブライトソースを提供する。マトリクス配列の発光ダイオードモジュールの低ロス特性を経由して、照明器具の本体１が室内の電源に接続されないときに、ロスを低減し、大幅に照明の時間を延長する。
【０００８】
制御スイッチ３４で、点灯機能をスタートし、電源ワイヤ３２を室内電源（２２０Ｖ、５０Ｈｚ）に接続するときに、制御回路３１１は電圧安定回路３１３とマトリクス配列の発光ダイオードモジュール２０との間の回路を導電し、充電電池３２３とマトリクス配列の発光ダイオードモジュール２０との間の回路を切断する。そのときに、電圧安定回路３１３は充電台座４からきた電源を本体１の適当な電圧レベルへ転換したあとで、（通常は電圧のレベルを下げ）、制御回路３１１を経由して、それぞれ、充電回路３２１及びマトリクス配列の発光ダイオードモジュール２０へ伝送する。充電回路３２１は伝送した電源を充電電池３２３へセーブし、充電電池３２３にチャージする。一定の時間（本実施例ならば、８時間）を経て、充電回路３２１は充電電池３２３の充電を止める。充電台座４からきた電源を直接にマトリクス配列の発光ダイオードモジュール２０の必要な電源として供給するので、マトリクス配列の発光ダイオードモジュール２０は発光する。それに対して、制御スイッチ３４で、消灯機能をスタートし、制御回路３１１に室内電源を受けないときに、制御回路３１１が充電電池３２３とマトリクス配列の発光ダイオードモジュール２０との間の回路を導電するので、マトリクス配列の発光ダイオードモジュール２０は充電電池３２３の電源で発光する。
【０００９】
（第２実施例）
図５及び図６に示すように、ロスの少ない充電照明器具は平時の照明として応用可能であり、充電台座４及び本体５を有する。充電台座４は第一接続部４１及び電源ワイヤ３２を設ける。電源ワイヤ３２は一端が室内電源に接続され、別端が充電台座４の中の第一接続部４１に接続される。本体５は活動自在に、充電台座４に放置され、内部には、回路基板３１がある。回路基板３１はそれぞれ、マトリクス配列の発光ダイオードモジュール２０、充電モジュール３２０、制御回路３１１、電圧安定回路３１３、及び第二接続部５１に接続される。充電モジュール３２０は充電回路３２１及び充電電池３２３を有する。充電回路３２１はそれぞれ充電電池３２３及び電圧安定回路３１３に接続される。本体１の外側に、制御スイッチ３４がある。制御スイッチ３４で、ユーザは制御回路３１１を制御する。制御回路３１１はそれぞれ、マトリクス配列の発光ダイオードモジュール２０、充電電池３２３及び電圧安定回路３１３に接続され、マトリクス配列の発光ダイオードモジュール２０と充電電池３２３とが通電するかどうか、マトリクス配列の発光ダイオードモジュール２０と電圧安定回路３１３とが通電するかどうかを制御する。
【００１０】
電圧安定回路３１３は第二接続部５１に接続される。第二接続部５１の局部は本体５の外に露出し、電源を回路基板３１へ伝送する。第一接続部４１及び第二接続部５１を互いに接続し、制御スイッチ３４で、消灯機能をスタートしたあとで、制御スイッチ３４を経由し、制御回路３１１は電圧安定回路３１３とマトリクス配列の発光ダイオードモジュール２０との間の回路を切断する。そのときに、電圧安定回路３１３は、充電台座４からの充電電源を本体５の適当な電圧レベルへ転換したあとで、（通常は電圧のレベルを下げ）、制御回路３１１を経由して、充電回路３２１へ伝送し、その電源を充電電池３２３にチャージする。一定の時間（本実施例ならば、８時間）を経て、充電回路３２１は充電電池３２３の充電を止める。
【００１１】
逆に、制御スイッチ３４で、点灯機能をスタートしたあとで、制御回路３１１は電圧安定回路３１３とマトリクス配列の発光ダイオードモジュール２０との間の回路を通電し、充電電池３２３とマトリクス配列の発光ダイオードモジュール２０との間の回路を切断する。そのときに、本体５は持続的に、充電電池３２３に充電する以外、電圧安定回路３１３も充電台座４からきた作業電源を本体５の適当な電圧レベルへ転換する。制御回路３１１を経由して、マトリクス配列の発光ダイオードモジュール２０まで伝送するので、マトリクス配列の発光ダイオードモジュール２０は極めて高い光度で、発光する。
【００１２】
本体５が携帯され、充電台座４から遠く離れる場合に、第二接続部５１は第一接続部４１に接続しない。制御スイッチ３４で、点灯機能をスタートしたあとで、制御回路３１１は充電電池３２３とマトリクス配列の発光ダイオードモジュール２０との間の回路を導電する。充電電池３２３の電源はマトリクス配列の発光ダイオードモジュール２０に供給し、外へ極めて高いブライトで、発光する。ユーザは、充電台座４のワイヤの制限を気兼ねせず、本体５をいずれの位置へ携帯してもよい。
【００１３】
本体５の一つの態様はワイヤレススタンドである。図５及び図６に示すように、ワイヤレススタンドはベース５０１、接続柱５０２、及びランプカバー５０３を有する。接続柱５０２は一端がランプカバー５０３に接続され、別端がベース５０１に接続される。回路基板３１はベース５０１の中に配置される。マトリクス配列の発光ダイオードモジュール２０はランプカバー５０３の中に取り付ける。ユーザはワイヤレススタンドのベース５０１を充電台座４に設け、充電又は照明のモードを行う。ワイヤレススタンドを別に机のいずれの位置に設けてもよいし、従来から既知のスタンドのワイヤと室内電源との距離制限、又はワイヤの配置で招いた乱雑できちんとしていないことを避ける。
【００１４】
本体５で、表現のもう一つの態様はワイヤレス室外ランプである。図６及び図７に示すように、ワイヤレス室外ランプは桶状殻体６０１を有する。回路基板３１は桶状殻体６０１の中に設ける。桶状殻体６０１の片側に、ノッチ６０２がある。ノッチ６０２には、マトリクス配列の発光ダイオードモジュール２０を放置する。桶状殻体６０１のノッチ６０２は、さらに、カバー６０３で密封する。その結果、ワイヤレス室外ランプは防水の特性がある。ワイヤレス室外ランプを充電台座４に設け、充電又は照明のモードを行う。ワイヤレススタンドを別に室外のいずれの位置に設けてもよいし、室外の室内電源がない問題を解決するばかりでなく、ワイヤの延長で、人間がひっかかって倒れる危険も避けられる。
【００１５】
図８を参照する。本発明の実施例のマトリクス配列の発光ダイオードは外殻２０１、基板２０２、光の透射激発板２０３などから形成される。基板２０２は外殻２０１の底面に設ける。基板２０２には、それぞれ、多数のチップ２０４を設ける。それらチップ２０４は青色光を発光する。光の透射激発板２０３は外殻２０１の上面に設ける。光の透射激発板２０３の材質が蛍光物質を用いるので、それらチップ２０４が青色光を発光する際に、光の透射激発板２０３の蛍光物質を励起するため、マトリクス配列の発光ダイオードは極めて明るく発光し、照明、環境保護の概念のニーズを同時に満足する。
【００１６】
（発明の効果）
本発明により、マトリクス配列の発光ダイオードモジュール２０はハイブライトの光源を提供する以外、低ロス、耐震、小さい体積、快速の反応など特性で、現今の環境保護概念の要求にまったく合う。電圧１２．５Ｖ、電流２４０ｍａ、最大の出力電力３Ｗの充電電池を例として挙げれば、従来から、既知の緊急照明器具の低いフラクス、低い利用レート、悪い放熱効率、光効率降下と比べると、本発明は６時間以上の持続照明時間を実現することができる。
しかしながら、本発明の掲示するのは理想的な実施例だけである。本発明の技術思想で、その技術の習熟者がいずれの局部の変更、修飾をしても、皆、本発明の請求範疇に含まれる。
【図面の簡単な説明】
【００１７】
【図１】従来の緊急照明器具を示す模式図である。
【図２】本発明の第１実施例による充電照明器具の斜視図である。
【図３】本発明の第１実施例による充電照明器具の斜視図である。
【図４】本発明の第１実施例による充電照明器具の回路基板の電子ブロックダイアグラムである。
【図５】本発明の第２実施例による充電照明器具のワイヤレススタンドの斜視図である。
【図６】本発明の第２実施例による充電照明器具のワイヤレススタンドの回路基板のブロックダイアグラムである。
【図７】本発明の第２実施例による充電照明器具のワイヤレス室外ランプの分解図である。
【図８】本発明の実施例による充電照明器具のマトリクス配列の発光ダイオードの断面図である。
【符号の説明】
【００１８】
１、５：照明器具の本体、３１１：制御回路、１１：第一カバー、３１３：電圧安定回路、１１０：ブロック、３２：電源ワイヤ、１１２：曲面部、３２０：充電モジュール、１１４：弧形曲面、３２１：充電回路、１１６：凹入部、３２３：充電電池、１１８：カバー、３４：制御スイッチ、２０：マトリクス配列の発光ダイオードモジュール、４：充電台座、２０１：外殻、４１：第一接続部、２０２：基板、５１：第二接続部、２０３：光の透射激発板、５０１：ベース、２０４：チップ、５０２：接続柱、２１：第二カバー、５０３：ランプカバー、２１０：凹溝、６０１：桶状殻体、２１２：ハンドル、６０２：ノッチ、２１４：支持柱、６０３：カバー、３１：回路基板
【図１】
2009048862.tif 000003
【図２】
2009048862.tif 000004
【図３】
2009048862.tif 000005
【図４】
2009048862.tif 000006
【図５】
2009048862.tif 000007
【図６】
2009048862.tif 000008
【図７】
2009048862.tif 000009
【図８】
2009048862.tif 000010
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
本体と、
本体に設けるマトリクス配列の発光ダイオードモジュールと、
一端が照明器具の本体から延伸して室内の電源に接続され、別端が充電モジュール及びマトリクス配列の発光ダイオードモジュールに接続され、外へ投射されるハイブライトソースを提供する電源ワイヤと、
からなることを特徴とする充電照明器具。
【請求項２】
前記本体は、
片側に、自由に回転可能なカバーを枢設し、マトリクス配列の発光ダイオードモジュールを収容する第一カバーと、
第一カバーと相互にかぶせて、内部に収容空間を設ける第二カバーと、
からなることを特徴とする請求項１に記載の充電照明器具。
【請求項３】
前記第一カバーは、
ブロックと、
ブロックの片側に設け、一面に少なくとも一つの弧形曲面及び弧形曲面の上に配置する一つの凹入部を設置し、両端が共通にカバーに枢設する曲面部と、
からなることを特徴とする請求項２に記載の充電照明器具。
【請求項４】
前記第二カバーは、
第二カバーの上面に設ける凹溝と、
一端がそれぞれ第二カバーに接続する二本の支持柱と、
凹溝に活動自在に設けて、二本の支持柱の別端に接続するハンドルと、
からなることを特徴とする請求項２に記載の充電照明器具。
【請求項５】
前記収容空間には、
それぞれ充電モジュール及びマトリクス配列の発光ダイオードモジュールに接続される回路基板と、
回路基板に配置され、電源ワイヤの別端に接続され、電源電圧のレベルを変更する電圧安定回路と、
充電電池及び電圧安定回路に接続する充電回路及び充電電池を有し、電圧安定回路からの電源を充電電池にチャージする充電モジュールと、
それぞれマトリクス配列の発光ダイオードモジュール、充電電池、及び電圧安定回路に接続され、マトリクス配列の発光ダイオードモジュールと充電電池とが通電するかどうか、マトリクス配列の発光ダイオードモジュールと電圧安定回路とが通電するかどうかを制御する制御回路と、
を収容することを特徴とする請求項２に記載の充電照明器具。
【請求項６】
前記マトリクス配列の発光ダイオードモジュールは、
外殻と、
外殻の底面に設け、多数のチップを配置する基板と、
外殻の上面に設け、蛍光物質を材質として採用する透射板と、
からなることを特徴とする請求項５に記載の充電照明器具。
【請求項７】
第一接続部及び一端が室内電源に接続し、別端が第一接続部に接続する電源ワイヤを設ける充電台座と、
可動自在に充電台座に設けられ、充電台座からの充電電源を受ける本体と、
本体に設けて、充電台座からの作業電源を受け、外へ光を投射し、外殻及び外殻の底面に配置され、多数のチップ及び蛍光物質の材質から作られ、外殻の上面に取り付ける透射板を設置する基板で形成されるマトリクス配列の発光ダイオードモジュールと、
からなることを特徴とする充電照明器具。
【請求項８】
前記本体は、
接続柱と、
接続柱の一端に接続され、マトリクス配列の発光ダイオードモジュールを収容するランプカバーと、
接続柱の別端に接続され、内部に回路基板を設けるベースと、
からなり、前記回路基板は、
電源を回路基板に伝送する第二接続部と、
回路基板に配置され、電源ワイヤの別端に接続され、電源電圧のレベルを変更する電圧安定回路と、
充電電池及び電圧安定回路に接続する充電回路及び充電電池を有し、電圧安定回路からきた電源を充電電池にチャージする充電モジュールと、
それぞれマトリクス配列の発光ダイオードモジュール、充電電池、及び電圧安定回路に接続され、マトリクス配列の発光ダイオードモジュールと充電電池とが通電するかどうか、マトリクス配列の発光ダイオードモジュールと電圧安定回路とが通電するかどうかを制御する制御回路と、
を有することを特徴とする請求項７に記載の充電照明器具。
【請求項９】
前記本体は、
片側に、ノッチがあって、マトリクス配列の発光ダイオードモジュールを設ける桶状の殻体と、
ノッチを密封するカバーと、
からなることを特徴とする請求項７に記載の充電照明器具。
【請求項１０】
前記桶状の殻体に、回路基板があり、前記回路基板は、
回路基板に設けられ、局部が桶状の殻体の外へ露出し、電源を回路基板へ伝送する第二接続部と、
回路基板に配置され、電源ワイヤの別端に接続され、電源電圧のレベルを変更する電圧安定回路と、
充電電池及び電圧安定回路に接続する充電回路及び充電電池を有し、電圧安定回路からきた電源を充電電池にチャージする充電モジュールと、
それぞれマトリクス配列の発光ダイオードモジュール、充電電池、及び電圧安定回路に接続され、マトリクス配列の発光ダイオードモジュールと充電電池とが通電するかどうか、マトリクス配列の発光ダイオードモジュールと電圧安定回路とが通電するかを制御する制御回路と、
を有することを特徴とする請求項９に記載の充電照明器具。